(57)【要約】【課題】  ＩＣタグを利用して、容易に個体の移動を管理することが可能な、個体移動管理システムを提供する。【解決手段】  建物内の各ブロックに設置された個体ＩＤ取得装置１０が、各個体に取り付けられたＩＣタグのＩＤを読み取って、各ブロックを特定する情報が記録されたＩＣカードに記録する。このＩＣカードは、個体移動管理装置２０において読み取られ、個体移動管理装置２０は、読み取ったＩＤで個体データベース２１を参照し、対応する個体データのブロック特定情報を読み取ったブロック特定情報で更新する。【選択図】  図２
2007089434.tif 000002
【特許請求の範囲】
【請求項１】
複数のブロックを有する建物内において、各ブロック間における個体の移動を管理するシステムにおいて、個体移動管理装置が必要とする個体のＩＤを取得するために、各ブロック単位で設置された装置であって、
非接触方式で、個体に取り付けられたＩＣタグから個体を特定する個体ＩＤを読み取るＩＤ読取部と、
前記ＩＤ読取部が読み取った個体ＩＤを、ブロックを特定する情報であるブロック特定情報が記録された可般型記録媒体に記録するＩＤ書込部と、
を有することを特徴とする個体ＩＤ取得装置。
【請求項２】
複数のブロックを有する建物内において、各ブロック間における個体の移動を管理するシステムにおいて、各ブロックから得られた情報に基づいて、個体の存在するブロックの情報を管理する装置であって、
各ブロックごとに設置された個体ＩＤ取得装置から得られた可般型記録媒体から各ブロックを特定するブロック特定情報および個体ＩＤを読み取る情報読取部と、
前記読み取った個体ＩＤで個体データベースを参照し、該当する個体ＩＤの存在するブロック特定情報を、前記読み取ったブロック特定情報に更新する個体データ更新部と、
を有することを特徴とする個体移動管理装置。
【請求項３】
前記請求項１に記載の個体ＩＤ取得装置を建物内の各ブロックに対応した数だけ備えると共に、前記請求項２に記載の個体移動管理装置を備えたことを特徴とする個体移動管理システム。
【発明の詳細な説明】
【技術分野】
【０００１】
本発明は、建物内において、動物等の各個体を移動させた際に、ブロック間の各個体の移動を簡易に管理するための技術に関する。
【背景技術】
【０００２】
近年、ＩＣタグを用いて、様々な物体の履歴管理等が行われるようになってきている。特に、非接触方式で読取可能な非接触ＩＣタグは、ＩＣタグリーダー（読取装置）の付近にかざすだけで情報の読取を行うことができるため、大量の物品から迅速に情報を読み取るのに役立っている。非接触ＩＣタグとは、プラスチック等の基材にコイルパターンを形成し、このコイルと容量素子とにより共振回路を形成して一定周波数の電波を受信し送信することができるように構成されたものであり、非接触データキャリアやＲＦ−ＩＤとも呼ばれている。
【発明の開示】
【発明が解決しようとする課題】
【０００３】
最近では、非接触ＩＣタグを家畜等の動物に取り付け、各個体の管理を行うことも行われている。各個体については、その成長に伴い、定期的に場所を移動することが行われている。例えば、豚の場合、建物である豚舎は、複数の豚房（ブロック）に分かれているが、ある豚房から別の豚房へ移動させることが行われる。他の豚房へ移動させる場合、１つの豚房に居た個体を全ていっしょに移動させるのであれば問題がないが、全く別々に移動させる場合、各個体について、どの豚房に移動させたかを逐次記録しなければならない。したがって、各個体にＩＣタグが付されている場合であっても、リーダーにより各個体のＩＤを読み取る作業を行わなければならず、作業員の負荷が高いという問題がある。
【０００４】
そこで、本発明は、ＩＣタグを利用して、容易に個体の移動を管理することが可能な、個体移動管理システムを提供することを課題とする。
【課題を解決するための手段】
【０００５】
上記課題を解決するため、本発明では、各ブロック単位で設置され、各ブロックに存在する個体のＩＤを取得する個体ＩＤ取得装置と、各ブロックから得られた情報に基づいて、個体の存在するブロックの情報を管理する個体移動管理装置により構成され、個体ＩＤ取得装置は、非接触方式で、個体に取り付けられたＩＣタグから個体を特定する個体ＩＤを読み取るＩＤ読取部と、前記ＩＤ読取部が読み取った個体ＩＤを、ブロックを特定する情報であるブロック特定情報が記録された可般型記録媒体に記録するＩＤ書込部を有し、個体移動管理装置は、各ブロックごとに設置された個体ＩＤ取得装置から得られた可般型記録媒体から各ブロックを特定するブロック特定情報および個体ＩＤを読み取る情報読取部と、前記読み取った個体ＩＤで個体データベースを参照し、該当する個体ＩＤの存在するブロック特定情報を、前記読み取ったブロック特定情報に更新する個体データ更新部を有することとした個体移動管理システムを提供する。
【発明の効果】
【０００６】
本発明によれば、各ブロックごとに設置した個体ＩＤ取得装置により個体ＩＤを読み取って、ブロック特定情報を記録した可般型記録媒体に記録し、個体移動管理装置が可般型記録媒体から読み取ったＩＤで特定される個体データを、読み取ったブロック特定情報で更新するようにしたので、個体のブロック間の移動を簡易に管理することが可能となる。
【発明を実施するための最良の形態】
【０００７】
以下、本発明の好適な実施形態について、図面を参照して詳細に説明する。
（１．ＩＤの登録）
まず、事前にＩＣタグに記録されたＩＤの登録を行う。ここで、本実施形態において用いるＩＣタグ、およびその使用形態について説明しておく。図１に、牛や豚等の個体に取り付ける場合のＩＣタグの使用形態を示す。図１（ａ）において、中央のものがＩＣタグであり、中空円形（ドーナツ）型となっている。直径は約３０ｍｍ、厚みは約２ｍｍである。そして、左側のものは、ＩＣタグを個体の耳に装着するための耳標オス型であり、右側のものは、ＩＣタグを装着するための耳標メス型である。そして、これらを、図１（ｂ）に示すように、個体の片耳中央に、耳外側から順に、耳標オス型、ＩＣタグ、耳標メス型で装着する。耳は耳標オス型とＩＣタグの間に挟まることになる。装着の際、そのＩＣタグからＩＣタグリーダーによりＩＤを読み取り、そのＩＤを個体データに登録する。個体データには、その個体がどのような特徴を有するか等の詳細な情報が記録される。
【０００８】
（２．システム構成）
次に、本発明に係る個体移動管理システムについて説明する。図２は、本発明に係る個体移動管理システムの構成図である。図２において、１０は個体ＩＤ取得装置、１１はＩＤ読取部、１２はＩＤ書込部、２０は個体移動管理装置、２１は個体データベース、２２は情報読取部、２３は個体データ更新部である。図２の例では、個体ＩＤ取得装置１０は４つ示してあるが、これは建物内におけるブロックの数に応じて異なってくる。図２の例では、管理すべきブロックが４つあることを示している。
【０００９】
個体ＩＤ取得装置１０は、各ブロック単位で設置され、当該ブロックに存在する個体の個体ＩＤを可般型記録媒体に取得するための装置であり、ＩＤ読取部１１、ＩＤ書込部１２を有している。ＩＤ読取部１１は、図１に示したような個体に取り付けられたＩＣタグから、非接触方式でＩＤを読み取る機能を有している。ＩＤ書込部１２は、ＩＤ読取部１１により読み取ったＩＤを可般型の記録媒体に書き込む機能を有している。可般型の記録媒体として、本実施形態では、ＩＣカードを採用している。このような個体ＩＤ取得装置１０は、コンピュータ本体、ＩＣタグリーダー、ＩＣカードライターおよびコンピュータ本体に搭載した専用のソフトウェアにより実現することができる。
【００１０】
図３に、ＩＣタグリーダーの設置状況を示す。本発明を実現するためには、個体に取り付けたＩＣタグからＩＤを容易に読み取ることが必要となる。そのため、ＩＤ読取部１１の一部として構成されるＩＣタグリーダーは、図３に示すように設置される必要がある。図３において、３０は給餌用用具、３１は給餌孔、３２はＩＣタグリーダーを示している。ＩＣタグリーダー３２は、機能としては従来周知のＩＣタグリーダーと同様のものであるが、その大きさが５０×７０ｃｍ程度の矩形状となっており、図３に網掛けで示す周縁部に、アンテナがコイル状に巻かれている。各個体は、ブロック内を勝手に動き回るため、取り付けられたＩＣタグからＩＤを読み取るためには、図３に示すように、給餌用用具３０に設置する必要がある。給餌用用具３０に設置しておけば、個体は必ず餌を食べに来るため、その際に読み取りが可能となる。しかし、餌を食べに来たとしても必ずしも所定の位置に来るとは限らないため、ＩＣタグリーダー３２の大きさを上述のような大きさとしており、ある程度の範囲内に位置すれば読み取りが可能となっている。
【００１１】
個体移動管理装置２０は、管理すべき建物に対して１台用意され、各個体が存在するブロックの情報を管理する装置であり、個体データベース２１、情報読取部２２、個体データ更新部２３を有している。個体データベース２１は、各個体についての詳細な情報を記録したデータベースであり、詳細な情報の１つとして、個体が存在するブロックを特定する情報が記録されている。情報読取部２２は、ＩＣカード等の可般型記録媒体からブロックの特定情報および個体ＩＤを読み取る機能を有している。なお、図２におけるＩＤ書込部１２と情報読取部２２の間の点線は、ＩＣカード等の可般型記録媒体の経路を示している。個体データ更新部２３は、可般型記録媒体から読み取った個体ＩＤに対応する個体データベース２１内の個体データのブロックの特定情報を、読み取ったブロックの特定情報で更新する機能を有している。このような個体移動管理装置２０は、コンピュータ本体、ＩＣカードリーダーおよびコンピュータ本体に搭載した専用のソフトウェアにより実現することができる。
【００１２】
（３．処理動作）
続いて、図２に示したシステムの処理動作について説明する。まず、各ブロック用に用意されたＩＣカードを、対応するブロックについて設置された個体ＩＤ取得装置１０のＩＣカードライターに挿入する。各ＩＣカードには、ブロックを特定する情報があらかじめ記録されている。このような状態で、各個体がＩＣタグリーダー３２に近付くと、ＩＤ読取部１１はＩＣタグから個体ＩＤを読み取る。ＩＤ読取部１１が個体ＩＤを読み取ると、ＩＤ書込部１２は、順次その個体ＩＤをＩＣカードに記録する。ただし、書込み前に、ＩＣカード内に既に同一のＩＤが書き込まれているかどうかを確認し、既に書き込まれている場合には重複して書込みは行わない。このようにして、ブロック内の個体のＩＤが順次ＩＣカードに書き込まれていくことになる。所定期間の経過を待つことにより、ＩＣカードには、そのブロック内の全ての個体ＩＤが記録される。
【００１３】
ＩＣカードを個体ＩＤ取得装置１０のＩＣカードライターに挿入して、所定期間経過後、作業員はＩＣカードを回収し、このＩＣカードを個体移動管理装置２０のＩＣカードリーダーに挿入する。すると、情報読取部２２が、ＩＣカードからブロック特定情報および個体ＩＤを読み取る。続いて、個体データ更新部２３が、読み取った個体ＩＤで個体データベース２１を参照し、対応する個体ＩＤについてのブロック特定情報を読み取ったブロック特定情報で更新する。
【００１４】
ここで、家畜である豚を、建物である豚舎内の豚房間（ブロック間）で移動させる場合を例にとって説明する。例えば、図４に示したように移動を行う場合について考えてみる。図４（ａ）は移動前の豚舎の状態、図４（ｂ）は移動後の豚舎の状態をそれぞれ示している。図４において、３桁の番号は各個体のＩＤを示している。図４の例では、豚房Ａ〜豚房Ｄが存在するが、ここでは、豚房Ａに着目する。図４（ａ）に示すように、移動前は、豚房Ａには、個体ＩＤ“００１”〜“００６”の６頭の個体が存在する。この状態で、豚房Ａに設置された個体ＩＤ取得装置１０は、給餌用用具３０に近付いてきた個体のＩＤをＩＣタグリーダー３２により読み取り、ＩＣカード内に個体ＩＤを記録する。そして、このＩＣカードを個体移動管理装置２０が読み込み、読み込んだ個体ＩＤ“００１”〜“００６”の個体データのブロック特定情報を“Ａ”と書き込む。また、豚房Ｂ〜Ｄについても同様の処理が行われる。この時点の、個体データベース２１内の個体データの様子を図５（ａ）に示す。なお、個体データベース２１内の個体データには、個体が存在する豚房のブロック特定情報だけでなく、各個体に関する様々なデータが記録されているが、本発明の内容に直接関係しないので、図４においては、“…”として省略している。
【００１５】
ここで、図４（ａ）に示すような状態から図４（ｂ）に示すような状態に移動したとする。図４（ｂ）に示すように、移動後は、豚房Ａには、個体ＩＤ“００１” “００５”“００９” “０１３” “０１７” “０２１”の６頭の個体が存在する。この状態で、上記と同様、豚房Ａに設置された個体ＩＤ取得装置１０は、給餌用用具３０に近付いてきた個体のＩＤをＩＣタグリーダー３２により読み取り、ＩＣカード内に個体ＩＤを記録する。このとき、豚房ＡのＩＣカードには、図５（ｂ）に示すような情報が記録される。続いて、個体移動管理装置２０がＩＣカードに記録された情報を読み取り、個体ＩＤに対応した豚房の特定情報を書き込むことにより、個体データを更新する。ここでは、読み込んだ個体ＩＤ“００１” “００５”“００９” “０１３” “０１７” “０２１”の個体データのブロック特定情報を“Ａ”に更新する。この結果、個体データベース２１内の個体データは、図５（ｃ）に示すように更新される。
【００１６】
以上のように、本発明の個体移動管理システムを用いることにより、個体を移動させた場合であっても、簡易に個体の移動後のブロックを特定することが可能となる。特に、本発明では、個体ＩＤ取得装置１０から個体移動管理装置２０へ個体ＩＤを移動させるためにＩＣカード等の可般型記録媒体を用いているので、個体ＩＤ取得装置１０と個体移動管理装置２０の間に配線が不要となり、個体や、その他様々な物が搬送される豚舎内において、配線が邪魔になることがない。
【図面の簡単な説明】
【００１７】
【図１】個体に取り付けるＩＣタグの使用形態を示す図である。
【図２】本発明に係る個体移動管理システムの構成を示す図である。
【図３】豚舎内の各豚房に設置された給餌用用具３０を示す図である。
【図４】豚舎内における豚房間の個体の移動の様子を示す図である。
【図５】個体の移動に伴う個体データの変化の様子を示す図である。
【符号の説明】
【００１８】
１０・・・個体ＩＤ取得装置
１１・・・ＩＤ読取部
１２・・・ＩＤ書込部
２０・・・個体移動管理装置
２１・・・個体データベース
２２・・・情報読取部
２３・・・個体データ更新部
３０・・・給餌用用具
３１・・・給餌孔
３２・・・ＩＣタグリーダー
【図１】
2007089434.tif 000003
【図２】
2007089434.tif 000004
【図３】
2007089434.tif 000005
【図４】
2007089434.tif 000006
【図５】
2007089434.tif 000007